(57)【特許請求の範囲】
【請求項１】
船体の船首の前方における水中に没入するアンカー本体と、このアンカー本体を上記船首に支承させる昇降手段とを備え、上記アンカー本体が水中に没入した状態で、このアンカー本体が船体の幅方向、かつ、上下方向に延びる板状となるよう形成され、上記昇降手段が、上記アンカー本体を上方に向って往移動自在にすると共に、この往移動した位置から元の位置に向うようこのアンカー本体を下方に向って復移動自在にし、上記アンカー本体の往、復移動でこのアンカー本体が水中から露出、没入可能とされた船艇のシーアンカー装置。
【請求項２】
上記昇降手段が、上端部が上記船首に枢支され下端部側が前後に回動自在とされると共にこの下端部が上記アンカー本体を支持した回動アームと、上記船体側からの操作で上記回動アームを回動可能とさせる回動操作手段とを備え、上記回動アームの回動で、上記アンカー本体が上記往、復移動をするようにした請求項１に記載の船艇のシーアンカー装置。
【請求項３】
上記回動アームの後方回動で上記アンカー本体が往移動するようにし、この往移動で、上記アンカー本体を上記船首の船底側の前面に沿うよう近接させて収納可能とした請求項２に記載の船艇のシーアンカー装置。
【請求項４】
上記回動操作手段が、上記アンカー本体が回動アームと共に上記船首の前方の水中の位置からそれ以上に前方回動することを阻止する一方、上記水中の位置から自由に後方回動することを許容するようにした請求項２、もしくは３に記載の船艇のシーアンカー装置。
【請求項５】
上記アンカー本体の後方近傍の水中に位置して、上記船体の幅方向、かつ、前後方向に延びるほぼ平坦な水掻き板を備え、この水掻き板の後端部側が上下に揺動自在となるようこの水掻き板の前端部を枢支軸により上記アンカー本体に枢支させ、上記水掻き板が上記枢支軸を通る仮想水平面から上、下にそれぞれある鋭角分だけ揺動したとき、それ以上に揺動することを阻止するストッパ手段を設けた請求項１から４のうちいずれか１つに記載の船艇のシーアンカー装置。
【発明の詳細な説明】
【０００１】
【発明の属する技術分野】
本発明は、推進駆動を停止している水上の船艇の船体を、水の抵抗を利用して水上の所望位置に係留可能とさせる船艇のシーアンカー装置に関するものである。
【０００２】
【従来の技術】
上記船艇のシーアンカー装置には、従来、パラシュート形状のアンカー本体と、このアンカー本体を船体に連結させるアンカーロープとを備えたものがある。
【０００３】
そして、推進駆動を停止している船艇を上記シーアンカー装置により水上の所望位置に係留させようとするときには、上記アンカー本体を水中に没入させる。すると、上記船艇が風力を受けて水上を一方向に流動され始めるときには、上記アンカー本体がその内部に水をはらんで、上記船艇の流動を抑制し、もって、上記したように船艇が水上に係留されるようになっている。
【０００４】
【発明が解決しようとする課題】
ところで、上記従来の技術において、上記シーアンカー装置による船艇の係留を解除させ、上記シーアンカー装置を船体に収納させようとするときには、まず、上記アンカーロープを引っ張って、上記アンカー本体を船体上に引き揚げることが必要であるが、上記アンカー本体は多量の水を内有していることから、上記引き揚げ作業は重作業となって、極めて煩雑である。
【０００５】
また、上記アンカー本体を船体上に引き揚げた後は、このアンカー本体に内有されている水を切ってから折り畳むことにより、収納可能な状態にさせることが必要であるが、上記アンカー本体は、上記係留の効果を大きくさせようとする分、面積が大きくなるものであることから、上記収納可能な状態にさせるための作業も極めて煩雑となる。
【０００６】
即ち、上記従来の技術のシーアンカー装置では、その収納作業が極めて煩雑であるという不都合がある。
【０００７】
また、上記したように、アンカー本体は面積が大きいため、これを折り畳んでも形状が大きいことから、上記シーアンカー装置を船体に収納させた場合、このシーアンカー装置が船体における乗員の邪魔になるおそれがある。
【０００８】
また、上記シーアンカー装置は、上記したように、風力による船艇の流動を抑制するものであって、この船艇を所望位置に、より確実に長時間にわたり係留させてやるということはできないものである。
【０００９】
このため、上記係留が長時間にわたることによって、船艇が所望位置からずれてしまった場合には、船艇に搭載した推進装置などにより上記船艇を推進させてその係留位置を所望位置にまで修正してやる必要がある。
【００１０】
そこで、係留位置の修正作業をしようとして、上記船艇を推進させると、水中に位置するパラシュート形状のアンカー本体が水をはらんで、上記船艇の円滑な推進を阻害するおそれがある。このため、上記船艇の推進時には、その都度、上記アンカー本体を水中から露出させることが求められるが、この結果、上記修正作業が煩雑なものとなっている。
【００１１】
本発明は、上記のような事情に注目してなされたもので、シーアンカー装置による船艇の係留を解除した後のこのシーアンカー装置の収納作業が容易にできるようにし、かつ、収納後のシーアンカー装置が船体における乗員の邪魔にならないようにすることを課題とする。
【００１２】
また、上記シーアンカー装置により、船艇を長時間にわたり係留させることにより、風力で上記船艇が所望位置からずれた場合や、ずれようとした場合に、船艇を推進させて、係留位置を修正させようとする際のこの修正作業が容易にできるようにすることを課題とする。
【００１３】
【課題を解決するための手段】
上記課題を解決するための本発明の船艇のシーアンカー装置は、次の如くである。
【００１４】
請求項１の発明は、全図に例示するように、船体３の船首９の前方における水２中に没入するアンカー本体１０と、このアンカー本体１０を上記船首９に支承させる昇降手段１２とを備え、上記アンカー本体１０が水２中に没入した状態で、このアンカー本体１０が船体３の幅方向、かつ、上下方向に延びる板状となるよう形成され、上記昇降手段１２が、上記アンカー本体１０を上方に向って往移動（Ａ）自在にすると共に、この往移動（Ａ）した位置から元の位置に向うようこのアンカー本体１０を下方に向って復移動（Ｂ）自在にし、上記アンカー本体の往、復移動（Ａ，Ｂ）でこのアンカー本体１０が水２中から露出、没入可能とされたものである。
【００１５】
請求項２の発明は、全図に例示するように、請求項１の発明に加えて、上記昇降手段１２が、上端部が上記船首９に枢支され下端部側が前後に回動自在とされると共にこの下端部が上記アンカー本体１０を支持した回動アーム１３と、上記船体３側からの操作で上記回動アーム１３を回動可能とさせる回動操作手段１６とを備え、上記回動アーム１３の回動で、上記アンカー本体１０が上記往、復移動（Ａ，Ｂ）をするようにしたものである。
【００１６】
請求項３の発明は、全図に例示するように、請求項２の発明に加えて、上記回動アーム１３の後方回動（Ａ）で上記アンカー本体１０が往移動（Ａ）するようにし、この往移動（Ａ）で、上記アンカー本体１０を上記船首９の船底側の前面９ａに沿うよう近接させて収納可能としたものである。
【００１７】
請求項４の発明は、全図に例示するように、請求項２、もしくは３の発明に加えて、上記回動操作手段１６が、上記アンカー本体１０が回動アーム１３と共に上記船首９の前方の水２中の位置からそれ以上に前方回動（Ｄ）することを阻止する一方、上記水２中の位置から自由に後方回動（Ａ）することを許容するようにしたものである。
【００１８】
請求項５の発明は、図３，４に例示するように、請求項１から４のうちいずれか１つの発明に加えて、上記アンカー本体１０の後方近傍の水２中に位置して、上記船体３の幅方向、かつ、前後方向に延びるほぼ平坦な水掻き板２３を備え、この水掻き板２３の後端部側が上下に揺動自在となるようこの水掻き板２３の前端部を枢支軸２４により上記アンカー本体１０に枢支させ、上記水掻き板２３が上記枢支軸２４を通る仮想水平面２５から上、下にそれぞれある鋭角分（Ｅ）だけ揺動したとき、それ以上に揺動することを阻止するストッパ手段２６を設けたものである。
【００１９】
【発明の実施の形態】
以下、本発明の実施の形態を図面により説明する。
【００２０】
（第１の実施の形態）
【００２１】
図１，２は、第１の実施の形態を示している。
【００２２】
図において、符号１は、小型の船艇であり、海等の水２に浮かべられている。また、矢印Ｆｒは、上記船艇１の進行方向の前方を示している。
【００２３】
上記船艇１の船体３は、その下部を構成するハル４と、上部を構成して上記ハル４と結合させられたデッキ５とを備え、これらハル４とデッキ５の結合部がガンネル６を構成している。上記船艇１は、水２上の船体３を所望方向に推進駆動させる不図示の推進装置を備えている。
【００２４】
上記船艇１は、推進駆動を停止しているこの船艇１の船体３を、水２の抵抗を利用して水２上の所望位置に係留可能とさせるシーアンカー装置８を備えている。
【００２５】
図１中実線で示すように、上記シーアンカー装置８は、上記船体３の幅方向のほぼ中央で、かつ、上記船体３の船首９の前方近傍における水２中に没入させられたアンカー本体１０を備えている。このアンカー本体１０は、上記水２中への没入状態で、上記船体３の幅方向、かつ、ほぼ鉛直方向である上下方向に延びる板状をなし、かつ、後面側が平面視で凹面となるよう折り曲げられて、板金製とされている。
【００２６】
また、上記シーアンカー装置８は、実線図示した上記水２中に没入した位置（以下、これを「元の位置」という）のアンカー本体１０を、上記船首９に支承させる昇降手段１２を備えている。この昇降手段１２は、上記アンカー本体１０を上記「元の位置」から上方に向って往移動（Ａ）自在にすると共に、この往移動（Ａ）した位置から上記「元の位置」に向うようこのアンカー本体１０を下方に向って復移動（Ｂ）自在とさせる。上記昇降手段１２による上記アンカー本体１０の往移動（Ａ）で、このアンカー本体１０は水２中から露出可能とされ（図１中二点鎖線）、上記アンカー本体１０の復移動（Ｂ）で、このアンカー本体１０は実線図示の「元の位置」の水２中に没入可能とされている。
【００２７】
上記構成によれば、推進駆動を停止している水２上の船艇１が風力（Ｃ）を受けて一方向に流動され始めると、上記アンカー本体１０が水２からの抵抗を受けることにより、上記船艇１の流動が抑制され、もって、上記船艇１が水２上の所望位置に係留される。
【００２８】
上記の場合、上記アンカー本体１０は船体３の船首９に支承されているため、この船首９が風上となるようにして上記船艇１の流動が抑制され、この状態で、上記船艇１が水２上に係留させられる。
【００２９】
また、上記したように、アンカー本体１０を上記船首９に支承させると共に上方に向って往移動（Ａ）自在にすると共に、この往移動（Ａ）した位置から「元の位置」に向うようこのアンカー本体１０を下方に向って復移動（Ｂ）自在とさせる昇降手段１２が備えられ、この昇降手段１２による上記アンカー本体１０の往、復移動（Ａ，Ｂ）でこのアンカー本体１０は水２中から露出、没入可能とされている。
【００３０】
このため、上記シーアンカー装置８による船艇１の係留を解除して、上記シーアンカー装置８を収納させようとする「収納作業」をしようとする場合には、まず、上記昇降手段１２により、上記アンカー本体１０を往移動（Ａ）させて、水２中から引き揚げるが、この際、上記アンカー本体１０は板状であって、従来のパラシュート形状のものではないことから、水２を内有することが未然に防止される。
【００３１】
よって、上記アンカー本体１０の引上げ作業は軽作業となって容易にでき、つまり、上記シーアンカー装置８の「収納作業」が容易にできることとなる。
【００３２】
上記昇降手段１２は、ほぼ鉛直方向である上下方向に延びる回動アーム１３を備えている。この回動アーム１３はその上端部が上記船首９に枢支軸１４によって枢支され、この枢支軸１４を中心として上記回動アーム１３の下端部側が前後に回動自在とされ、この回動アーム１３の下端部に上記アンカー本体１０が固着されて支持されている。
【００３３】
また、上記昇降手段１２は、上記船体３側からの操作で、上記回動アーム１３を回動可能とさせる回動操作手段１６を備えている。この回動操作手段１６は、一端部が上記回動アーム１３の下端部側に連結され、他端部側が上記船体３の船首９側に向って延びる可撓性の索条体１７と、この索条体１７の他端部側に外力を与えてこの他端部側を後方に向って往、復移動可能とさせる外力付与手段１８と、上記索条体１７の他端部側の前後方向の所望移動位置で、この他端部側を船体３の船首９側に係脱自在に係止させる係止手段１９とを備えている。上記の場合、索条体１７はロープ、チェーン等であり、外力付与手段１８は電動式のものの他、人力によるものであってもよい。
【００３４】
上記回動操作手段１６の外力付与手段１８により、上記索条体１７の後端部側に外力を付与してこの後端部側を後方に向って往移動させると、これに連動して、上記回動アーム１３の下端部側と共にアンカー本体１０が前記「元の位置」から後方回動する。この後方回動は前記アンカー本体１０の往移動（Ａ）に相当している。
【００３５】
一方、上記アンカー本体１０が往移動（Ａ）した状態から、上記外力付与手段１８により、上記索条体１７の後端部側への外力の付与を解除させて、上記索条体１７を自由状態にさせると、上記回動アーム１３とアンカー本体１０はその自重で前方回動し、上記「元の位置」に戻る。この前方回動は前記アンカー本体１０の復移動（Ｂ）に相当している。
【００３６】
上記構成によれば、上記シーアンカー装置８の使用後等に、このシーアンカー装置８を収納させようとして、「収納作業」をする場合には、上記回動操作手段１６により、上記回動アーム１３の下端部側を後方回動（Ａ）させ、これに伴い上記回動アーム１３の下端部に支持させたアンカー本体１０を往移動（Ａ）させ、もって、このアンカー本体１０を水２中から上方に露出させるが、この際、上記回動アーム１３の後方回動（Ａ）に伴って、上記回動アーム１３が水平姿勢に近づくに従い、この回動アーム１３とアンカー本体１０との合計重量の少なくとも一部は上記枢支軸１４を介して上記船体３の船首９で支持されることとなる。
【００３７】
よって、上記合計重量の少なくとも一部が船体３で支持される分、上記回動操作手段１６の索条体１７に対する外力が少なくて足りることから、上記引上げ作業が軽作業となって容易にでき、このため、上記「収納作業」が更に容易にできることとなる。
【００３８】
また、上記したように、「収納作業」において、上記回動操作手段１６により、回動アーム１３を後方回動（Ａ）させることにより、アンカー本体１０を往移動（Ａ）させたときには、図１中一点鎖線で示すように、上記アンカー本体１０は上記船首９の船底側の円弧凸形状の前面９ａに外嵌し、この前面９ａに全体的に沿うと共に近接して収納可能とされている。また、この際、上記回動アーム１３も、上記前面９ａに全体的に沿うと共に近接して収納可能とされている。なお、このようにアンカー本体１０が船首９の前面９ａに外嵌した状態は、図２で、実線と二点鎖線とで示した状態に相当している。
【００３９】
上記状態から、上記索条体１７の後端部側を上記係止手段１９により船首９に係止させれば、上記シーアンカー装置８が上記船首９の前面９ａの前方近傍に収納された状態（以下、これを「収納状態」という）となる。
【００４０】
上記構成によれば、シーアンカー装置８の「収納状態」では、このシーアンカー装置８のアンカー本体１０や回動アーム１３は、船体３内や、この船体３の上面側の空間を占有することが回避され、つまり、「収納状態」の上記シーアンカー装置８が船体３における乗員の邪魔になるということが防止される。
【００４１】
一方、前記回動操作手段１６は、その索条体１７と係止手段１９とにより、上記アンカー本体１０が回動アーム１３と共に「元の位置」からそれ以上に前方回動（Ｄ）しようとすることを阻止する一方、上記索条体１７の可撓性により、上記「元の位置」から自由に後方回動（Ａ）することを許容することとされている。
【００４２】
ここで、前記したようにアンカー本体１０は船艇１を水２上に係留させるが、上記アンカー本体１０は船艇１の流動を抑制するものであって、時間の経過と共に、上記船艇１はその船体３の船首９が風上となる姿勢で、船体３の後方である風下側に徐々に流動させられる。
【００４３】
そこで、上記船艇１の係留位置を修正させるための「修正作業」をする場合には、風上側に向って上記船艇１をその前方に推進駆動させればよいが、この場合、上記アンカー本体１０が、上記船艇１の前方への円滑な推進を阻害するおそれがある。
【００４４】
しかし、上記したように、回動操作手段１６は、上記アンカー本体１０が回動アーム１３と共に「元の位置」から自由に後方回動（Ａ）することを許容するため、上記「修正作業」をしようとして、船艇１を前方に推進させるときには、水２の抵抗力を受ける上記アンカー本体１０が上記回動アーム１３と共に後方回動（Ａ）して、つまり、アンカー本体１０が往移動（Ａ）して、水２中から露出させられる傾向となり、その分、上記アンカー本体１０が受ける水２の抵抗が弱められる。
【００４５】
よって、上記「修正作業」をしようとして、船艇１を前方に推進駆動させる場合、上記回動操作手段１６により回動アーム１３を回動させて上記アンカー本体１０を往移動（Ａ）させるという作業をしなくても、円滑な船艇１の推進駆動が確保されるのであり、このため、上記「修正作業」は極めて容易にできることとなる。
【００４６】
なお、以上は図示の例によるが、アンカー本体１０は、その主体を可撓性のシート材とし、このシート材の外縁をフレーム材で補強して、保形させるようにしたものであってもよい。
【００４７】
（第２の実施の形態）
【００４８】
図３，４は、第２の実施の形態を示している。
【００４９】
なお、この実施の形態は、前記第１の実施の形態と構成、作用において多くの点で共通している。そこで、これら共通するものについては、図面に共通の符号を付してその重複した説明を省略し、異なる点につき主に説明する。
【００５０】
図示のシーアンカー装置８は、上記アンカー本体１０の後方近傍の水２中に位置させられた水掻き板２３を備え、この水掻き板２３は、船体３の幅方向、かつ、前後方向に延びるほぼ平坦な板金製とされている。上記水掻き板２３の前端部側は枢支軸２４により上記回動アーム１３を介しアンカー本体１０に枢支され、上記枢支軸２４を中心として上記水掻き板２３の後端部側が上下に揺動自在とされている。
【００５１】
上記水掻き板２３が上記枢支軸２４を通る仮想水平面２５から上、下方にそれぞれある鋭角分（Ｅ）だけ揺動したとき、それ以上に揺動することを阻止するストッパ手段２６が設けられている。このストッパ手段２６は、上記アンカー本体１０に対しねじやスナップリングなどにより、着脱自在に取り付けられた上下一対の軸状ストッパー２７，２７を備えている。
【００５２】
上記構成によれば、前記したように、船体３の船首９が風上となる姿勢で船艇１が水２上に係留されている場合において、上記船艇１が水２面の波の作用により、昇降動を繰り返したとすると、船艇１の上昇時（Ｆ）には、水２からの外力で、まず、上記水掻き板２３が下側のストッパー２７に当接するまで鋭角分（Ｅ）だけ下方に揺動させられ（実線図示）、これにより後下がりとされた上記水掻き板２３の上面を、上記船艇1の上昇に伴い後下方に案内される水2流（Ｇ）の反力によって、船艇1が前方に推進させられる。
【００５３】
また、船艇1の下降時（Ｈ）には、水2からの外力で、まず、上記水掻き板２３が上側のストッパー２７に当接するまで上方に揺動させられ（一点鎖線図示）これにより、後上がりとされた上記水掻き板２３の下面を、上記船艇１の下降に伴い後下方に案内される水２流（Ｉ）の反力によって、船艇１が前方に推進させられる。
【００５４】
よって、前記「修正作業」は船艇１を駆動推進させなくても、少なくとも幾分かは達成されるため、その分、上記「修正作業」が容易にできることとなる。
【００５５】
また、上記の場合、船体３に対する水掻き板２３の支持は、回動アーム１３やアンカー本体１０の利用によりなされており、この利用の分、上記「修正作業」は簡単な構成で達成される。
【００５６】
また、上記構成において、ストッパ手段２６における上側のストッパー２７を上記アンカー本体１０（回動アーム１３側）から取り外せば、上記水掻き板２３は上記ストッパー２７の位置を越えて、上方回動（Ｉ）が許容され、もって、上記アンカー本体１０の後面に全体的に沿うよう近接して収納可能とされている。そして、この収納状態のままで、前記シーアンカー装置８の「収納状態」が得られることとされている。
【００５７】
【発明の効果】
本発明によれば、次の効果が生じる。
【００５８】
請求項１の発明は、船体の船首の前方における水中に没入するアンカー本体と、このアンカー本体を上記船首に支承させる昇降手段とを備え、上記アンカー本体が水中に没入した状態で、このアンカー本体が船体の幅方向、かつ、上下方向に延びる板状となるよう形成されている。
【００５９】
このため、推進駆動を停止している水上の船艇が風力を受けて一方向に流動され始めると、上記アンカー本体が水からの抵抗を受けることにより、上記船艇の流動が抑制され、もって、上記船艇が水上の所望位置に係留される。
【００６０】
また、船体の船首の前方における水中に没入するアンカー本体と、このアンカー本体を上記船首に支承させる昇降手段とを備え、上記アンカー本体が水中に没入した状態で、このアンカー本体が船体の幅方向、かつ、上下方向に延びる板状となるよう形成され、上記昇降手段が、上記アンカー本体を上方に向って往移動自在にすると共に、この往移動した位置から元の位置に向うようこのアンカー本体を下方に向って復移動自在にし、上記アンカー本体の往、復移動でこのアンカー本体が水中から露出、没入可能とされる。
【００６１】
このため、上記シーアンカー装置による船艇の係留を解除して、上記シーアンカー装置を収納させようとする「収納作業」をしようとする場合には、まず、上記昇降手段により、上記アンカー本体を往移動させて水中から引き揚げるが、この際、上記アンカー本体は板状であって、従来のパラシュート形状のものではないことから、水を内有することが未然に防止される。
【００６２】
よって、上記アンカー本体の引上げ作業は軽作業となって容易にでき、つまり、上記シーアンカー装置の「収納作業」が容易にできることとなる。
【００６３】
請求項２の発明は、上記昇降手段が、上端部が上記船首に枢支され下端部側が前後に回動自在とされると共にこの下端部が上記アンカー本体を支持した回動アームと、上記船体側からの操作で上記回動アームを回動可能とさせる回動操作手段とを備え、上記回動アームの回動で、上記アンカー本体が上記往、復移動をするようにしてある。
【００６４】
このため、上記シーアンカー装置の使用後等に、このシーアンカー装置を収納させようとして、「収納作業」をする場合には、上記回動操作手段により、上記回動アームの下端部側を後方回動させ、これに伴い上記回動アームの下端部に支持させたアンカー本体を往移動させ、もって、このアンカー本体を水中から上方に露出させるが、この際、上記回動アームの後方回動に伴って、上記回動アームが水平姿勢に近づくに従い、この回動アームとアンカー本体との合計重量の少なくとも一部は上記枢支軸を介して上記船体の船首で支持されることとなる。
【００６５】
よって、上記合計重量の少なくとも一部が船体で支持される分、上記回動操作手段に対する外力が少なくて足りることから、上記引上げ作業が軽作業となって容易にでき、このため、上記「収納作業」が更に容易にできることとなる。
【００６６】
請求項３の発明は、上記回動アームの後方回動で上記アンカー本体が往移動するようにし、この往移動で、上記アンカー本体を上記船首の船底側の前面に沿うよう近接させて収納可能としてある。
【００６７】
このため、上記シーアンカー装置の「収納作業」をしようとするとき、上記回動操作手段により、上記回動アームの下端部側を後方回動させ、これに伴い往移動するアンカー本体を上記船首の船底側の前面に沿うよう近接させて収納させると、上記アンカー本体が船体内や、この船体の上面側の空間を占有することが回避される。
【００６８】
よって、「収納状態」の上記シーアンカー装置が船体における乗員の邪魔になるということは防止される。
【００６９】
請求項４の発明は、上記回動操作手段が、上記アンカー本体が回動アームと共に上記船首の前方の水中の位置である「元の位置」からそれ以上に前方回動することを阻止するようにしてあり、次の効果が生じる。
【００７０】
即ち、前記したようにアンカー本体は船艇を水上に係留させるが、上記アンカー本体は船艇の流動を抑制するものであって、時間の経過と共に、上記船艇はその船体の船首が風上となる姿勢で、船体の後方である風下側に徐々に流動させられる。
【００７１】
そこで、上記船艇の係留位置を修正させるための「修正作業」をする場合には、風上側に向って上記船艇をその前方に推進駆動させればよいが、この場合、上記アンカー本体が、上記船艇の前方への円滑な推進を阻害するおそれがある。
【００７２】
しかし、上記回動操作手段は、上記アンカー本体が回動アームと共に上記水中の位置である「元の位置」から自由に後方回動することを許容するようにしてある。
【００７３】
このため、上記「修正作業」をしようとして、船艇を前方に推進させるときには、水の抵抗力を受ける上記アンカー本体が上記回動アームと共に後方回動して、つまり、アンカー本体が往移動して、水中から露出させられる傾向となり、その分、上記アンカー本体が受ける水の抵抗が弱められる。
【００７４】
よって、上記「修正作業」をしようとして、船艇を前方に推進駆動させる場合、上記回動操作手段により回動アームを回動させて上記アンカー本体を往移動させるという作業をしなくても、円滑な船艇１の推進駆動が確保されるのであり、このため、上記「修正作業」は極めて容易にできることとなる。
【００７５】
請求項５の発明は、上記アンカー本体の後方近傍の水中に位置して、上記船体の幅方向、かつ、前後方向に延びるほぼ平坦な水掻き板を備え、この水掻き板の後端部側が上下に揺動自在となるようこの水掻き板の前端部を枢支軸により上記アンカー本体に枢支させ、上記水掻き板が上記枢支軸を通る仮想水平面から上、下にそれぞれある鋭角分だけ揺動したとき、それ以上に揺動することを阻止するストッパ手段を設けてある。
【００７６】
このため、前記したように、船体の船首が風上となる姿勢で船艇が水上に係留されている場合において、上記船艇が水面の波の作用により、昇降動を繰り返したとすると、船艇の上昇時には、水からの外力で、まず、上記水掻き板が鋭角分だけ下方に揺動させられ、これにより後下がりとされた上記水掻き板の上面を、上記船艇の上昇に伴い後下方に案内される水流の反力によって、船艇が前方に推進させられる。
【００７７】
また、船艇の下降時には、水からの外力で、まず、上記水掻き板が鋭角分だけ上方に揺動させられ、これにより、後上がりとされた上記水掻き板の下面を、上記船艇の下降に伴い後下方に案内される水流の反力によって、船艇が前方に推進させられる。
【００７８】
よって、前記「修正作業」は船艇を駆動推進させなくても、少なくとも幾分かは達成されるため、その分、上記「修正作業」が容易にできることとなる。
【００７９】
また、上記の場合、船体に対する水掻き板の支持は、回動アームやアンカー本体の利用によりなされており、この利用の分、上記「修正作業」は簡単な構成で達成される。
【図面の簡単な説明】
【図１】  第１の実施の形態で、船艇の前部側面図である。
【図２】  第１の実施の形態で、図１の２−２線矢視図である。
【図３】  第２の実施の形態で、図１に相当する図である。
【図４】  第２の実施の形態で、シーアンカー装置の斜視図である。
【符号の説明】
１      船艇
２      水
３      船体
８      シーアンカー装置
９      船首
９ａ    前面
１０    アンカー本体
１２    昇降手段
１３    回動アーム
１４    枢支軸
１６    回動操作手段
１７    索条体
１８    外力付与手段
１９    係止手段
２３    水掻き板
２４    枢支軸
２５    仮想水平面
２６    ストッパ手段
２７    ストッパー
【図１】
0004183208.tif 000002
【図２】
0004183208.tif 000003
【図３】
0004183208.tif 000004
【図４】
0004183208.tif 000005